(57)【要約】【課題】検索キーワードによって該当する画像データを検索可能にし、検索効率の向上を図る。【解決手段】画像データの形成を補助する既成イメージデータを記憶する記憶装置を備え、文字データまたは図形データまたは前記記憶装置に記憶されたイメージデータを構成要素とする前記画像データを形成する画像データ作成装置であって、前記構成要素ごとに、前記構成要素に関連付けて第一の検索キーワードを設定する第一の検索キーワード設定手段と、前記画像データと関連付けて前記構成要素と前記第一の検索キーワードとを記憶する第一の検索キーワード記憶手段と、第二の検索キーワードを入力する第二の検索キーワード入力手段と、前記第一の検索キーワード記憶手段によって記憶された画像データから、前記第二の検索キーワードが含まれる画像データを検索する検索手段と、前記検索手段の結果を表示する検索結果表示手段と、を備える。【選択図】図７
2012104010.tif 000002
【特許請求の範囲】
【請求項１】
画像データの形成を補助する既成イメージデータを記憶する記憶装置を備え、文字データまたは図形データまたは前記記憶装置に記憶されたイメージデータを構成要素とする前記画像データを形成する画像データ作成装置であって、
前記構成要素ごとに、前記構成要素に関連付けて第一の検索キーワードを設定する第一の検索キーワード設定手段と、
前記画像データと関連付けて前記構成要素と前記第一の検索キーワードとを記憶する第一の検索キーワード記憶手段と、
第二の検索キーワードを入力する第二の検索キーワード入力手段と、
前記第一の検索キーワード記憶手段によって記憶された画像データから、前記第二の検索キーワードが含まれる画像データを検索する検索手段と、
前記検索手段の結果を表示する検索結果表示手段と、
を備えることを特徴とする画像データ作成装置。
【請求項２】
請求項１に記載の画像データ作成装置において、さらに、
前記検索手段によって検索された、前記第一の検索キーワードが含まれる画像データを選択する画像データ選択手段と、
前記画像データ選択手段によって選択された画像データに含まれる前記第一の検索キーワードを表示する第一の検索キーワード表示手段と、
前記第一の検索キーワード表示手段によって表示された前記第一の検索キーワードの編集を行う第一の検索キーワード編集手段と、
を備えることを特徴とする。
【請求項３】
請求項１に記載の画像データ作成装置において、
前記第一の検索キーワード設定手段は、前記第一の検索キーワードを設定する構成要素が前記文字データの場合、前記文字データの先頭文字列を自動的に前記第一の検索キーワードとして設定することを特徴とする。
【請求項４】
請求項１に記載の画像データ作成装置において、
前記記憶装置は、さらに前記既成イメージデータと関連する検索キーワードを記憶し、
前記第一の検索キーワード設定手段は、前記第一の検索キーワードを設定する構成要素が前記既成イメージデータの場合、前記既成イメージデータと関連する検索キーワードを自動的に前記第一の検索キーワードとして設定することを特徴とする。
【請求項５】
請求項１に記載の画像データ作成装置において、
前記記憶装置は、さらに前記図形データと関連する検索キーワードを記憶し、
前記第一の検索キーワード設定手段は、前記第一の検索キーワードを設定する構成要素が前記図形データの場合、前記図形データと関連する検索キーワードを自動的に前記第一の検索キーワードとして設定することを特徴とする。
【請求項６】
請求項１ないし５のいずれか一項に記載の画像データ作成装置により作成された画像データに基づいて、印刷物を作成することを特徴とするテープ印刷装置。
【請求項７】
画像データの形成を補助する既成イメージデータを記憶する記憶装置を備え、文字データまたは図形データまたは前記記憶装置に記憶されたイメージデータを構成要素とする前記画像データを形成する画像データ作成方法であって、
前記構成要素ごとに、前記構成要素に関連付けて第一の検索キーワードを設定するステップと、
前記画像データと関連付けて前記構成要素と前記第一の検索キーワードとを記憶するステップと、
第二の検索キーワードを入力するステップと、
前記画像データから、前記第二の検索キーワードが含まれる画像データを検索するステップと、
検索結果を表示するステップと、
を備えることを特徴とする画像データ作成方法。
【請求項８】
請求項７に記載の画像データ作成方法における各ステップを、コンピューターに実行させるためのプログラム。
【発明の詳細な説明】
【技術分野】
【０００１】
本発明は、画像データ作成装置、この画像データを印刷するテープ印刷装置、画像データ作成方法、及びプログラムに関するものである。
【背景技術】
【０００２】
所望のイメージデータや文字データを含むファイルデータを検索する方法として、各ファイルデータの各ページに検索キーワードを格納し、検索キーワードによって該当するファイルデータとページ番号を検索可能とする情報検索装置がある。
【先行技術文献】
【特許文献】
【０００３】
【特許文献１】特開平５−１５１２６４号公報
【発明の概要】
【発明が解決しようとする課題】
【０００４】
しかしながら、従来の装置では、検索キーワードが各ページに対して関連付けられるため、ページに含まれるイメージデータや文字データからユーザーが判断して検索キーワードを別途入力する必要があり、必ずしも所望のイメージデータや文字データに関連する検索キーワードが設定されているとは限らず、所望のデータが含まれるファイルデータを検索できないという問題があった。
【課題を解決するための手段】
【０００５】
本発明は、上記の問題点に鑑み、検索漏れを少なくする画像データ作成装置、テープ印刷装置、画像データ作成方法、及びプログラムを提供することをひとつの目的とし、以下の形態または適用例として実現することができる。
【０００６】
本発明の１形態にかかる画像データ作成装置は、画像データの形成を補助する既成イメージデータを記憶する記憶装置を備え、文字データまたは図形データまたは前記記憶装置に記憶されたイメージデータを構成要素とする前記画像データを形成する画像データ作成装置であって、前記構成要素ごとに、前記構成要素に関連付けて第一の検索キーワードを設定する第一の検索キーワード設定手段と、前記画像データと関連付けて前記構成要素と前記第一の検索キーワードとを記憶する第一の検索キーワード記憶手段と、第二の検索キーワードを入力する第二の検索キーワード入力手段と、前記第一の検索キーワード記憶手段によって記憶された画像データから、前記第二の検索キーワードが含まれる画像データを検索する検索手段と、前記検索手段の結果を表示する検索結果表示手段と、を備えることを特徴とする。
【０００７】
このような構成によれば、文字データ、図形データ、イメージデータ毎に検索キーワードが設定可能となり、検索キーワードを各データに設定しておくことで、検索対象を増やすことができ、検索漏れを少なくすることができる。ここで、検索キーワードは各構成要素に対して、複数の検索キーワードを設定できることが好ましい。また、検索キーワードが含まれる構成要素別に検索を行うことが可能となり、より詳細な検索を行うことが可能となる。ここで、前記検索結果表示手段では、検索によって該当する画像データを選択する選択手段と、前記選択手段によって選択された画像データをプレビュー表示するプレビュー表示手段をさらに備えることが好ましい。
【０００８】
上記形態にかかる画像データ作成装置において、さらに、前記検索手段によって検索された、前記第一の検索キーワードが含まれる画像データを選択する画像データ選択手段と、前記画像データ選択手段によって選択された画像データに含まれる前記第一の検索キーワードを表示する第一の検索キーワード表示手段と、前記第一の検索キーワード表示手段によって表示された前記第一の検索キーワードの編集を行う第一の検索キーワード編集手段と、を備えることを特徴とする。
【０００９】
このような構成によれば、画像データ作成後に検索キーワードを確認し、編集を行うことが可能となる。
【００１０】
上記形態にかかる画像データ作成装置において、前記第一の検索キーワード設定手段は、前記第一の検索キーワードを設定する構成要素が前記文字データの場合、前記文字データの先頭文字列を自動的に前記第一の検索キーワードとして設定することを特徴とする。
【００１１】
このような構成によれば、文字データを画像データに挿入する際に自動的に検索キーワードも挿入されるため、検索キーワードの設定し忘れを防ぎ、検索漏れを少なくすることが可能となり、また、後から検索キーワードを編集する際の参考とすることができる。ここで、検索キーワードとしては、文字データの先頭から５文字から１０文字を用いることが好ましい。
【００１２】
上記形態にかかる画像データ作成装置において、前記記憶装置は、さらに前記既成イメージデータと関連する検索キーワードを記憶し、前記第一の検索キーワード設定手段は、前記第一の検索キーワードを設定する構成要素が前記既成イメージデータの場合、前記既成イメージデータと関連する検索キーワードを自動的に前記第一の検索キーワードとして設定することを特徴とする。
【００１３】
このような構成によれば、既成イメージデータを画像データに挿入する際に自動的に検索キーワードも挿入されるため、検索キーワードの設定し忘れを防ぎ、検索漏れを少なくすることが可能となる。また、同一のイメージデータに対して同一の検索キーワードが設定されるため、容易に想像できるような検索キーワードを関連付けておくことで、該当データの検索を容易にすることができる。
【００１４】
上記形態にかかる画像データ作成装置において、前記記憶装置は、さらに前記図形データと関連する検索キーワードを記憶し、前記第一の検索キーワード設定手段は、前記第一の検索キーワードを設定する構成要素が前記図形データの場合、前記図形データと関連する検索キーワードを自動的に前記第一の検索キーワードとして設定することを特徴とする。
【００１５】
このような構成によれば、図形データを画像データに挿入する際に自動的に検索キーワードも挿入されるため、検索キーワードの設定し忘れを防ぎ、検索漏れを少なくすることが可能となる。例えば、四角形の図形データであれば、「四角形」を検索キーワードとして設定する。このように、同一のイメージデータに対して同一の検索キーワードが設定されるため、容易に想像できるような検索キーワードを関連付けておくことで、該当データの検索を容易にすることができる。
【００１６】
本発明の１形態にかかるテープ印刷装置は、上記形態に記載の画像データ作成装置により作成された画像データに基づいて、印刷物を作成することを特徴とする。
【００１７】
本発明の１形態にかかるデータ作成方法は、画像データの形成を補助する既成イメージデータを記憶する記憶装置を備え、文字データまたは図形データまたは前記記憶装置に記憶されたイメージデータを構成要素とする前記画像データを形成する画像データ作成方法であって、前記構成要素ごとに、前記構成要素に関連付けて第一の検索キーワードを設定するステップと、前記画像データと関連付けて前記構成要素と前記第一の検索キーワードとを記憶するステップと、第二の検索キーワードを入力するステップと、前記画像データから、前記第二の検索キーワードが含まれる画像データを検索するステップと、検索結果を表示するステップと、を備えることを特徴とする。
【００１８】
本発明の１形態にかかるプログラムは、上記形態に記載の画像データ作成方法における各ステップを、コンピューターに実行させるためのプログラムであることを特徴とする。
【図面の簡単な説明】
【００１９】
【図１】本実施形態に係る印刷システムの模式図である。
【図２】画像データ作成装置のブロック図である。
【図３】編集画面の模式図である。
【図４】テープ印刷装置の閉蓋状態における外観斜視図である。
【図５】テープ印刷装置の開蓋状態における外観斜視図である。
【図６】テープ印刷装置のブロック図である。
【図７】画像データ作成装置における画像データの編集手段と記憶手段を示すフローチャートである。
【図８】画像データ作成装置の設定表示の模式図である。
【図９】図８に続く、画像データ作成装置の編集操作の一例を示す図である。
【図１０】画像データ作成装置の設定表示の模式図である。
【図１１】図１０に続く、画像データ作成装置の編集操作の一例を示す図である。
【図１２】画像データ作成装置の編集操作の一例を示す図である。
【図１３】図１２に続く、画像データ作成装置の設定表示の模式図である。
【図１４】図１３に続く、画像データ作成装置の編集操作の一例を示す図である。
【図１５】画像データ作成装置における画像データの検索手段と表示処理を示すフローチャートである。
【図１６】画像データ作成装置の検索操作の一例を示す図である。
【図１７】画像データ作成装置の検索操作の一例を示す図である。
【図１８】画像データ作成装置の検索操作の一例を示す図である。
【発明を実施するための形態】
【００２０】
以下、添付の図面を参照し、本発明の一実施形態にかかる画像データ作成装置、テープ印刷装置、印刷システムおよびプログラムについて説明する。
【００２１】
図１は、印刷システムの模式図である。同図に示すように、印刷システム１は、画像データ作成装置２と、テープ印刷装置３と、を備え、これらはケーブル４を介して接続されている。
【００２２】
画像データ作成装置２としては、キーボード１１、マウス１２およびディスプレイ１３等を有する一般的なパーソナルコンピューターを利用可能である。つまり、記録媒体であるＣＤ−ＲＯＭ（Compact Disc Read Only Memory）５に格納されているＰＣアプリケーション１８ｂおよびプリンタードライバー１８ｃ（図２参照）をパーソナルコンピューターにインストールすることによって、本実施形態の画像データ作成装置２として機能させることができる。
【００２３】
テープ印刷装置３は、長尺状のテープＴ（図５参照）を印刷媒体として使用し、画像データ作成装置２から取得した画像データに基づいて、当該テープＴに対して印刷および切断を行うことによりテープ片（ラベル）ｔを作成する。
【００２４】
なお、本実施形態では、画像データ作成装置２とテープ印刷装置３とをケーブル４を介して直接接続する構成を例示しているが、ネットワーク（インターネットやローカルエリアネットワーク）を介して接続させても良いし、無線通信を介して接続させても良い。
【００２５】
次に、図２を参照し、画像データ作成装置２の制御構成について説明する。画像データ作成装置２は、図１に示したキーボード１１、マウス１２およびディスプレイ１３の他、ＣＤドライブ１４、接続インターフェイス１５、ＣＰＵ（Central Processing Unit）１６、ＲＡＭ（Random Access Memory）１７、ハードディスクドライブ（ＨＤＤ（Hard disk drive））１８およびこれら各コンポーネントを接続する接続バス１９を備えている。
【００２６】
ＣＤドライブ１４は、ＣＤ−ＲＯＭ５に格納されているデータを読み取るためのものであり、本実施形態ではＰＣアプリケーション１８ｂおよびプリンタードライバー１８ｃのインストールに用いられる。なお、ＣＤ−ＲＯＭ５は、テープ印刷装置３の付属品としてユーザーに提供されるものである。
接続インターフェイス１５は、テープ印刷装置３のコネクター１１３とケーブル４を介して接続するための接続口であり、本実施形態ではＵＳＢ（Universal Serial Bus）インターフェイスを採用している。
【００２７】
ＣＰＵ１６は、各種データの演算処理を行うことによって、画像データ作成装置２全体を制御するものである。ＲＡＭ１７は、接続バス１９を介することなくＣＰＵ１６と直接接続され、ＣＰＵ１６が各種処理を行う際のワークエリアとして用いられる。
【００２８】
ハードディスクドライブ１８は、オペレーティングシステム（ＯＳ）１８ａの他、ＣＤ−ＲＯＭ５から読み取ったＰＣアプリケーション１８ｂおよびプリンタードライバー１８ｃを記憶している。ＰＣアプリケーション１８ｂは、オペレーティングシステム１８ａに組み込まれて利用される応用ソフトであり、印刷画像Ｇ（図３参照）の編集、テープＴの長さ調整、印刷指示等、後述する各種処理を実行するための処理プログラムを含む。また、プリンタードライバー１８ｃは、オペレーティングシステム１８ａとテープ印刷装置３との橋渡しを行うものである。
【００２９】
ここで、図３を参照し、ユーザーが印刷画像Ｇの編集を行うために、ディスプレイ１３上に表示される編集画面２１について説明する。
編集画面２１には、テープ片ｔのイメージ画像ｇ（以下、単に「テープ片画像ｇ」と称する）や印刷画像Ｇを表示する編集領域２２、基本操作を行うための基本操作ツールバー２４、入力データとして文字データ、図形データ、イメージデータなどを入力するための入力ツールバー２５、入力データを編集するための編集ツールバー２６が設けられている。
【００３０】
編集領域２２では、ユーザーがテープ片画像ｇに文字データＤ１や図形データＤ２、イメージデータＤ３を配置させることにより、印刷画像Ｇを作成する。本実施形態の画像データ作成装置２は、各データを挿入する際に第一の検索キーワードを設定することにより、印刷画像Ｇと一緒に第一の検索キーワードを記憶させるようになっている。詳細については、具体例を挙げて後述する。
【００３１】
基本操作ツールバー２４は、印刷データを新規作成するための新規作成ボタン３１、作成した印刷データを保存するための保存ボタン３２、保存しておいた画像データを読み込んで編集領域２２に表示させる読込みボタン３３、編集領域２２に表示されている編集結果に基づいて印刷を実行させるための印刷ボタン３４等を有している。
【００３２】
入力ツールバー２５は、テープ片画像ｇや印刷画像Ｇなどのオブジェクトを選択するオブジェクト選択ボタン４１、文字を入力するための文字入力ボタン４２、直線や図形を入力するため各種図形入力ボタン４３、イメージを挿入するイメージ入力ボタン４４等を有している。
【００３３】
編集ツールバー２６は、入力した図形の編集を行うための図形ツールバー５１、入力した文字の編集を行うための文字ツールバー５２、およびテープ印刷装置３によりラベル（テープ片ｔ）を作成するためのラベル作成ツールバー５３により構成されている。図形ツールバー５１は、図形の輪郭線の種類や太さ、塗りつぶしを複数の選択肢から選択設定する３つのリストボックス６１ａ、６１ｂ、６１ｃ（プルダウンメニュー）と、図形に関する各種設定を行うためのウィンドウを表示させる図形設定ウィンドウ表示ボタン６２と、を有している。
【００３４】
文字ツールバー５２は、入力した文字のフォントやサイズを選択設定するリストボックス７１ａ、７１ｂ（プルダウンメニュー）と、入力した文字のスタイル（太字や斜体、下線付きなど）や、割付け（例えば、センタリング、右揃えなど）、縦書き・横書き設定、修飾文字（白抜きや縁取り）設定をそれぞれ行うための１４個の各種設定ボタン７２と、入力した文字に関する各種設定を行うためのウィンドウを表示させる文字設定ウィンドウ表示ボタン７３と、を有している。
【００３５】
ラベル作成ツールバー５３は、作成するテープ片ｔの長さを、印刷画像Ｇの形状や大きさに応じて自動設定する自動設定ボタン８１、作成するテープ片ｔの長さをスクロールバー８２により選択した所定長に設定する定長設定ボタン８３、印刷画像Ｇの前に付す余白の長さを、少なめ、普通、多めの中から選択設定する余白設定リストボックス８４、同じく余白の長さをスクロールバー８５により数値設定する余白設定ボックス８６の他、テープ印刷装置３に装着されているテープＴ（後述する）のテープ幅を、テープ印刷装置３との通信により取得して、テープ幅表示ボックス８７に表示するテープ幅取得ボタン８８を有している。テープ幅表示ボックス８７には、スクロールバー８９が組み込まれており、テープ幅を手動入力することも可能となっている。
【００３６】
次に、図４および図５を参照し、テープ印刷装置３の装置構成について説明する。
テープ印刷装置３は、テープＴに対して印刷処理を行う装置本体１０２と、テープＴおよびインクリボンＲを収容し、装置本体１０２に着脱自在に装着されるテープカートリッジＣとを備えている。
【００３７】
装置本体１０２は、装置ケース１０３により外殻が形成され、その内部に広く印刷処理部１１０が構成されている。
装置ケース１０３の前半部上面には、各種キー１０４を備えたキーボード１０５が配設されている。装置ケース１０３の後半部左上面には、開閉蓋１０６が広く設けられ、開閉蓋１０６の上面には、テープカートリッジＣの装着／非装着を視認するための覗き窓１０７が形成されると共に、開閉蓋１０６の前側にはこれを開放する蓋体開放ボタン１０８が設けられている。後半部右上面には、キーボード１０５からの入力結果等を表示する長方形のディスプレイ１０９が形成されている。
蓋体開放ボタン１０８を押して開閉蓋１０６を開放すると、その内部には、テープカートリッジＣが装着されるカートリッジ装着部１１１が窪入形成されており、カートリッジ装着部１１１には、テープカートリッジＣから繰り出されるテープＴに印刷処理を行う印刷ヘッド１２１が配設されている（図５参照）。
【００３８】
装置ケース１０３の左側部には、カートリッジ装着部１１１と装置外部とを連通するテープ排出口１１２が形成され、このテープ排出口１１２に臨んで装置ケース１０３には、テープＴを切断するためのカッターユニット１１４が内蔵されている。
カッターユニット１１４は、テープ排出口１１２に臨むように配設されており、後述するモーター駆動（フルカッターモーター１１６）により、テープＴをハサミ形式で切断するフルカッター１１５と、フルカッター１１５に対してテープ送り方向下流側に配設され、切断されたテープ片tを強制的に排出する排出機構と、を備えている（図６参照）。
【００３９】
また、図示は省略するが、装置ケース１０３の右側部には、電源供給のための電源供給口と、画像データ作成装置２等の外部装置と接続するためのコネクター１１３（図２参照）が形成されている。また、装置ケース１０３の内部には、装置本体１０２を統括制御する制御部１１７（図６参照）を構成する回路基板が組み込まれている。
【００４０】
カートリッジ装着部１１１には、発熱素子を有しヘッドカバー１２０に覆われた印刷ヘッド１２１と、後述するテープリール１３１の位置決めをする位置決め突起１２２と、テープカートリッジＣのテープＴおよびインクリボンＲを送り、印刷ヘッド１２１に対峙するプラテン駆動軸１２３、およびインクリボンＲを巻き取る巻取り駆動軸１２４とが、突設され、またカートリッジ装着部１１１の隅部には、複数のマイクロスイッチで構成されたテープ識別センサー１２５（図６参照）が設けられている。また、カートリッジ装着部１１１の底板の内側には、プラテン駆動軸１２３および巻取り駆動軸１２４を駆動する印刷送りモーター１２６（図６参照）や減速ギア列等（図示省略）が内蔵されている。
【００４１】
テープカートリッジＣは、カートリッジケース１３０の内部に、テープＴを巻回したテープリール１３１と、右前方部にインクリボンＲを巻回したリボン繰出しリール１３２およびリボン巻取りリール１３３とを収容して構成されている。
また、テープリール１３１の左前方部には印刷ヘッド１２１を覆うヘッドカバー１２０に差し込むための貫通開口１３４が形成されている。さらに、テープＴとインクリボンＲとが重なる部分に対応し、上記のプラテン駆動軸１２３に嵌合して回転駆動するプラテンローラー１３５が配置されている。
【００４２】
テープカートリッジＣをカートリッジ装着部１１１に装着すると、ヘッドカバー１２０に貫通開口１３４が、位置決め突起１２２にテープリール１３１が、巻取り駆動軸１２４にリボン巻取りリール１３３が、プラテン駆動軸１２３にプラテンローラー１３５が、それぞれ差し込まれ、この状態で開閉蓋１０６を閉蓋すると、これに連動して、印刷ヘッド１２１がテープＴおよびインクリボンＲを挟み込んでプラテンローラー１３５に当接し、印刷待機状態となる。
【００４３】
そして、画像データ作成装置２から送信された画像データに基づき、プラテン駆動軸１２３および巻取り駆動軸１２４が同期回転して、テープＴおよびインクリボンＲを送りながら、印刷ヘッド１２１により印刷処理が行われる。これと共に、リボン繰出しリール１３２から繰り出されたインクリボンＲは、貫通開口１３４の開口壁を周回してリボン巻取りリール１３３に巻き取られる。印刷処理後のテープＴは、印刷済み部分がフルカッター１１５によりカットされ、カットされたテープ片ｔがテープ排出口１１２から外部に排出される。
【００４４】
テープＴは、裏面に粘着剤層が塗着された記録テープＴａと、この粘着剤層により記録テープＴａに貼付された剥離テープＴｂとから構成されている。そして、テープＴは、記録テープＴａを外側にし、かつ剥離テープＴｂを内側にしてロール状に巻回されてカートリッジケース１３０内に収容されている。テープＴには、テープ幅が４ｍｍから３６ｍｍまでの複数種のものが用意されている。カートリッジケースＣの裏面には、小さな複数の被検出孔（図示省略）が形成され、上記のテープ識別センサー１２５によってこの複数の被検出孔が識別され、テープＴの種別（テープＴの幅、材質、デザイン、カラー等）を識別できるようになっている。
【００４５】
次に、図６を参照し、テープ印刷装置３の制御構成について説明する。テープ印刷装置３は、データ入出力部１４１、操作部１４２、印刷処理部１１０、切断部１４３、検出部１４４、駆動部１４９、およびこれら各部と接続され、テープ印刷装置３全体を制御する制御部１１７により構成されている。
【００４６】
データ入出力部１４１は、データ供給インターフェイス（ＤＳ−ＩＦ）１４０を有し、コネクター１１３を介して画像データ作成装置２から画像データを入力すると共に各種コマンドやステータスを入出力する。
【００４７】
操作部１４２は、キーボード１０５およびディスプレイ１０９を有し、ユーザーによる文字情報の入力や各種情報の表示等のユーザーインターフェイスを司る。
【００４８】
印刷処理部１１０は、テープカートリッジＣ、印刷ヘッド１２１および印刷送りモーター１２６を有し、テープＴおよびインクリボンＲを送りながらテープＴ上に入力または受信した文字情報や画像データを印刷する。
【００４９】
切断部１４３は、フルカッター１１５およびこれらを駆動するフルカッターモーター１１６を有し、印刷済みのテープＴにフルカットを行う。
【００５０】
検出部１４４は、テープ識別センサー１２５の他、印刷送りモーター１２６の回転速度を検出する回転速度センサー（図示省略）等のセンサーを有し、各種検出を行う。
【００５１】
駆動部１４９は、ディスプレイドライバー１４５、ヘッドドライバー１４６、印刷送りモータードライバー１４７、カッターモータードライバー１４８を有し、各部を駆動する。
【００５２】
制御部１１７は、ＣＰＵ１５０、ＲＯＭ１５１、ＲＡＭ１５２および入力制御装置（ＩＯＣ：Input Output Controller）１５３を備え、互いに内部バス１５４により接続されている。そして、ＣＰＵ１５０はＲＯＭ１５１内の制御プログラムにしたがって、ＩＯＣ１５３を介してテープ印刷装置３の各部から各種信号・データを入力する。
また、入力した各種信号・データに基づいて、ＲＡＭ１５２内の各種データを処理し、ＩＯＣ１５３を介してテープ印刷装置３内の各部に各種信号データを出力することにより、印刷処理等を制御する。
【００５３】
例えば、データ供給インターフェイス１４０を介して、画像データ作成装置２から画像データを取得すると、ＣＰＵ１５０は、当該画像データをビットマップデータに展開してＲＡＭ１５２内のバッファーに一時的に格納する。そして、駆動部１４９に対して印刷ヘッド１２１や印刷送りモーター１２６を駆動させるための指令を送って印刷処理を実行させ、さらに駆動部１４９に対してフルカッターモーター１１６を駆動させるための指令を送って切断処理を実行させることにより、印刷済みのテープ片ｔを作成する。
【００５４】
次に、図７のフローチャートを参照し、図３に示す画像データ作成装置２の編集画面２１を利用した印刷画像Ｇの編集手段と記憶手段について説明する。なお、当該画像データ作成処理は、ＣＰＵ１６を主体として実行されるものであり、以下の説明においては適宜主語を省略する。
まず、キーボード１１やマウス１２の操作によってＰＣアプリケーション１８ｂの起動が指示されると、これにしたがってＰＣアプリケーション１８ｂを起動し（ステップＳ１０１）、ディスプレイ１３に編集画面２１を表示する（ステップＳ１０２）。
【００５５】
次に、データの挿入を行なう（ステップＳ１０３）。
【００５６】
文字データを挿入する場合、編集画面２１の入力ツールバー２５より、文字入力ボタン４２をクリックすると、文字編集状態となり、その状態で編集画面２１上の文字挿入位置をクリックして指定する。文字挿入位置に文字を入力し、編集画面２１内の文字挿入位置とは異なる場所をクリックすると、文字データＤ１として編集画面２１に挿入される（ステップＳ１０３）。
【００５７】
挿入した文字データＤ１に対して、リストボックス７１ａ、７１ｂによりフォントやサイズを設定し、文字のスタイル、割付け、縦書き・横書き設定、修飾文字（白抜きや縁取り）設定を各種設定ボタン７２にてユーザーの任意で行う。
【００５８】
文字データＤ１を選択している状態で、文字設定ウィンドウ表示ボタン７３をクリックすると、文字設定ウィンドウ１６０（図８参照）が開き、入力した文字に関する各種設定を確認ができる。また、文字設定ウィンドウ１６０のタブを検索タブに切り替えることで、第一の検索キーワード表示画面１６１（図９参照）を表示し、第一の検索キーワード表示画面１６１内の第一の検索キーワード設定ボックス１６２にて、現在設定されている第一の検索キーワードを確認することができる。
【００５９】
また、図形データを挿入する場合、編集画面２１の入力ツールバー２５より、所望する図形の図形入力ボタン４３をクリックすると、図形編集状態となる。その状態で編集画面２１上をドラッグして図形挿入位置と大きさとを指定し、ドラッグの状態からマウスのボタンを離すと、図形データＤ２として編集画面２１に挿入される（ステップＳ１０３）。
【００６０】
挿入した図形データＤ２に対して、図形の輪郭線の種類や太さ、塗りつぶしの設定を図形ツールバー５１の複数の３つのリストボックス６１ａ、６１ｂ、６１ｃにてユーザーの任意で行う。その後、図形データＤ２を選択している状態で、図形設定ウィンドウ表示ボタン６２をクリックすると、図形設定ウィンドウ１６４（図１０参照）が開き、入力した図形に関する各種設定を確認ができる。
【００６１】
また、図形設定ウィンドウ１６４のタブを検索タブに切り替えることで、第一の検索キーワード表示画面１６５（図１１参照）を表示し、第一の検索キーワード表示画面１６５内の第一の検索キーワード設定ボックス１６２にて、現在設定されている第一の検索キーワードを確認することができる。
【００６２】
また、イメージデータを挿入する場合、編集画面２１の入力ツールバー２５より、イメージ入力ボタン４４をクリックすると、イメージ選択画面１６６（図１２参照）が開く。イメージ選択画面１６６から所望のイメージを選択して開くボタン１６７をクリックし、編集画面２１上の挿入位置をクリックすると、イメージデータＤ３として挿入される（ステップＳ１０３）。
【００６３】
その後、イメージデータＤ３を選択している状態で、ダブルクリックするとイメージ設定ウィンドウ１６８（図１３参照）が開き、入力したイメージに関する各種設定を確認ができる。  また、イメージ設定ウィンドウ１６８のタブを検索タブに切り替えることで、第一の検索キーワード表示画面１６９（図１４参照）を表示し、第一の検索キーワード表示画面１６９内の第一の検索キーワード設定ボックス１６２にて、現在設定されている第一の検索キーワードを確認することができる。
【００６４】
ここで、編集画面２１に挿入されたデータが文字データかどうか判定する（ステップＳ１０４）。
【００６５】
挿入されたデータが文字データの場合（ステップＳ１０４：Ｙｅｓ）、検索キーワードとして、文字データＤ１の先頭の５文字を、初期値として設定する（例えば、「禁煙」の文字列の場合は「禁煙」を初期値とする。）（ステップＳ１０５）。
ここで、文字データの先頭の５文字と記載したが、１〜１０文字程度の文字数としてもよいし、ユーザーが文字数を任意に設定可能としてもよい。
また、挿入されたデータが文字データではなかった場合（ステップＳ１０４：Ｎｏ）、ステップＳ１０６へと進む。
【００６６】
ここで、編集画面２１に挿入されたデータが図形データかどうか判定する（ステップＳ１０６）。
挿入されたデータが図形データの場合（ステップＳ１０６：Ｙｅｓ）、本実施形態の画像データ作成装置２に、入力された図形の種類に関連づけて記憶されている第一の検索キーワード（例えば、図形の種類が四角形ならば、「四角形」）を、第一の検索キーワードとして、初期値に設定する（ステップＳ１０７）。
また、挿入されたデータが図形データではなかった場合（ステップＳ１０６：Ｎｏ）、ステップＳ１０８へと進む。
【００６７】
ここで、編集画面２１に挿入されたデータが、本実施形態の画像データ作成装置２に記憶されている既成イメージデータかどうか判定する（ステップＳ１０８）。
挿入されたデータが画像データ作成装置２に記憶されている既成イメージデータの場合（ステップＳ１０８：Ｙｅｓ）、画像データ作成装置２に、入力された既成イメージデータの種類に関連づけて記憶されているイメージ名称（例えば、禁煙マークのイメージ名称は「禁煙」）を、第一の検索キーワードとして、イメージ名称に設定する（ステップＳ１０９）。
また、挿入されたデータが画像データ作成装置２に記憶されている既成イメージデータではなかった場合（ステップＳ１０８：Ｎｏ）は、ステップＳ１１０へと進む。
【００６８】
次に、挿入されたデータの、第一の検索キーワードを再編集するかどうか選択する（ステップＳ１１０）。
【００６９】
文字データＤ１の第一の検索キーワードを変更、もしくは追加したい場合（ステップＳ１１０：Ｙｅｓ）は、図６の第一の検索キーワード表示画面１６１を表示し（ステップＳ１１１）、第一の検索キーワード設定ボックス１６２の第一の検索キーワードを変更、もしくは追加入力し、ＯＫボタン１６３をクリックすると、文字データＤ１に対して第一の検索キーワードが変更設定される（ステップＳ１１２）。
これにより、第一の検索キーワードが自動的に設定され、検索キーワードを後から追加する手間が省くことができ、設定漏れも防ぐことができる。
【００７０】
また、図形データＤ２の第一の検索キーワードを変更、もしくは追加したい場合（ステップＳ１１０：Ｙｅｓ）は、図１１の第一の検索キーワード表示画面１６５を表示し（ステップＳ１１１）、第一の検索キーワード設定ボックス１６２の第一の検索キーワードを変更、もしくは追加入力し、ＯＫボタン１６３をクリックすると、図形データＤ２に対して第一の検索キーワードが変更設定される（ステップＳ１１２）。
【００７１】
これにより、第一の検索キーワードが自動的に設定され、第一の検索キーワードを後から追加する手間が省くことができ、設定漏れも防ぐことができる。また、初期値として設定される第一の検索キーワードを利用すれば、第一の検索キーワードが統一でき、後から所望の図形データが含まれる画像データを検索する際に、第二の検索キーワードの選択が容易となる。
【００７２】
ここで、図形データだけではなく、バーコードや特殊な用途を持ったデータ（例えば、一般的に挿し込み印刷と呼ばれる外部データ読み込み位置を指定する図形など）を挿入した場合にも、後から第一の検索キーワードを第一の検索キーワード表示画面１６５にて、第一の検索キーワードを設定できることが好ましい。また、バーコード種類などデータ内容が特定できるデータは、初期値として第一の検索キーワードを設定されることが好ましい。
【００７３】
また、イメージデータＤ３の第一の検索キーワードを変更、もしくは追加したい場合（ステップＳ１１０：Ｙｅｓ）は、図１４の第一の検索キーワード表示画面１６９を表示し（ステップＳ１１１）、第一の検索キーワード設定ボックス１６２の第一の検索キーワードを変更、もしくは追加入力し、ＯＫボタン１６３をクリックすると、イメージデータＤ３に対して第一の検索キーワードが変更設定される（ステップＳ１１２）。
【００７４】
これにより、第一の検索キーワードが自動的に設定され、第一の検索キーワードを後から追加する手間が省くことができ、設定漏れも防ぐことができる。また、初期値として設定される第一の検索キーワードを利用すれば、第一の検索キーワードが統一でき、後から所望のイメージデータが含まれる画像データを検索する際に、第二の検索キーワードの選択が容易となる。
【００７５】
ここでは、画像データ作成装置２に記憶されている既成のイメージデータを選択した場合を記載したが、ユーザーが用意した外部イメージデータを挿入した場合にも、後から第一の検索キーワード表示画面１６９にて、第一の検索キーワードを設定できることが好ましい。
【００７６】
このように、第一の検索キーワードが設定された文字データＤ１、図形データＤ２、イメージデータＤ３を編集画面２１に配置し、第一の検索キーワードの設定を行ったあと、画像データの編集を終了させるかどうかを選択する（ステップＳ１１３）。
編集画面２１での編集作業を終了しない場合（ステップＳ１１３：Ｎｏ）は、ステップＳ１０３に戻りステップを繰り返す。または、編集作業を終了する場合（ステップＳ１１３：Ｙｅｓ）は、ステップＳ１１４へと進む。
【００７７】
ステップＳ１１４において印刷画像Ｇとしてデータを保存するかどうかを選択する。
データを保存する場合（ステップＳ１１４：Ｙｅｓ）は、編集画面２１にある基本操作ツールバー２４の保存ボタン３２をクリックする。すると、第一の検索キーワードを含む印刷画像Ｇが画像データ作成装置２に含まれる記憶部（ハードディスクドライブ１８）へ保存され（ステップＳ１１５）終了（ＥＮＤ）する。
または、データを保存しない場合（ステップＳ１１４：Ｎｏ）は、終了（ＥＮＤ）となる
【００７８】
次に、図１５のフローチャートを参照し、画像データ作成装置２における印刷画像Ｇの検索手段について説明する。
まず、キーボード１１やマウス１２の操作によってＰＣアプリケーション１８ｂの起動が指示されると、これにしたがってＰＣアプリケーション１８ｂを起動し（ステップＳ２０１）、編集画面２１（図３参照）を表示する（図１５のフローチャートでは省略）。
図１６に示すように、メニューＭ１から「画像データ検索」を選択し（ステップＳ２０２）、画像データ検索ウィンドウ１７０（図１７参照）を表示する（ステップＳ２０３）。画像データ検索ウィンドウ１７０には、第二の検索キーワード入力ボックス１７１、検索場所指定ボックス１７２、検索実行ボタン１７３、検索結果表示ボックス１７４、プレビュー表示ボックス１７５、開くボタン１７６が表示される。
【００７９】
まず、所望するデータに含まれる第二の検索キーワードを、第二の検索キーワード入力ボックス１７１へ入力する（ステップＳ２０４）。ここでは、複数の第二の検索キーワードを入力可能とする。
次に、検索対象とする場所を検索場所指定ボックス１７２へ入力する（ステップＳ２０５）。ここで、検索場所の指定は、図示したフォルダー構成の画面から検索場所を指定させる方法でもよいとする。また、指定した検索場所のさらに下層にある部分も検索対照として選択できるようにしてもよい。
【００８０】
ここで、検索条件の入力が終了したかどうかを判定する（ステップＳ２０６）。検索条件の入力が終了していなかった場合（ステップＳ２０６：Ｎｏ）、ステップＳ２０４に戻る。
または、第二の検索キーワードや検索場所の指定などの、検索条件の入力を終了している場合（ステップＳ２０６：Ｙｅｓ）、画像データ検索ウィンドウ１７０の検索実行ボタン１７３をクリックして（ステップＳ２０７）、検索場所として指定された場所において、画像データの有無の確認を行う（ステップＳ２０８）。
検索場所に画像データが存在する場合は（ステップＳ２０８：Ｙｅｓ）、第二の検索キーワード入力ボックスに入力された第二の検索キーワードが含まれるか検索処理を行う（ステップＳ２０９）。ここで、検索範囲の条件として、画像データのサイズや名称、更新日時などの条件を追加できることが好ましい。また、ステップＳ２０８において検索場所に画像データが存在しない場合（ステップＳ２０８：Ｎｏ）は、そのまま検索処理を終了する。
【００８１】
ステップＳ２０９の検索処理にて、第二の検索キーワード入力ボックスに入力した第二の検索キーワードが含まれる画像データがあった場合（ステップＳ２１０：Ｙｅｓ）、検索結果表示ボックス１７４へ画像データのデータ名と画像データの保存場所を表示する（ステップＳ２１１）。ここで、データ名以外に、更新日時やデータサイズなどが表示されてもよい。
第二の検索キーワードが含まれる画像データがなかった場合（ステップＳ２１０：Ｎｏ）は、ステップＳ２１２へ進む。
【００８２】
画像データに対する第二の検索キーワードの検索処理終了後、検索場所に未検索の画像データが存在するか確認（図１５のフローチャートでは省略）し、未検索の画像データが存在する場合（ステップＳ２１２：Ｙｅｓ）は、その画像データを第二の検索キーワードの検索対象とする（ステップＳ２１３）。その後、上述したステップＳ２０９からの動作を繰り返し、未検索の画像データが存在しなくなる（ステップＳ２１２：Ｎｏ）と、検索処理を終了する。
【００８３】
次に図１８を参照し、第二の検索キーワードが含まれる画像データの検索結果表示手段を説明する。
画像データ検索ウィンドウ１７０の検索結果表示ボックス１７４に表示された画像データのいずれか一つをクリックすると、プレビュー表示ボックス１７５に画像データに保存されている印刷画像Ｇをプレビュー表示する。
【００８４】
ここで、プレビュー画像は、プレビュー表示ボックス１７５の大きさに合わせて拡大縮小表示させてもよいし、スクロールにより全体表示させてもよしとする。これにより、第二の検索キーワードが含まれる画像データの中身が確認でき、ユーザーが所望するデータが含まれているか判別できる。
【００８５】
ユーザーが所望する画像データを選択し、開くボタン１７６をクリックすると、対象の画像データを編集状態（図３参照）とし、上記で説明した印刷画像Ｇの編集や、基本操作ツールバー２４にある印刷ボタン３４をクリックして、テープ印刷装置３からの印刷が可能となる。
【００８６】
また、上記の実施形態に示した、ＰＣアプリケーション１８ｂをプログラムとして提供することが可能である。また、そのプログラムを各種記録媒体（ＣＤ−ＲＯＭ、フラッシュメモリー等）に格納して提供することも可能である。すなわち、ＰＣアプリケーション１８ｂ自体、およびそれを記録した記録媒体も、本発明の権利範囲に含まれるものである。
【００８７】
また、上記の実施形態では、印刷システム１として構成したが、テープ印刷装置３にＰＣアプリケーション１８ｂの機能を設け、テープ印刷装置３を単体として用いて、テープ片画像ｇや印刷画像Ｇの編集処理や印刷処理を行うようにしてもよい。また、本発明の要旨を逸脱しない範囲で、適宜変更が可能である。
【符号の説明】
【００８８】
１…印刷システム  ２…画像データ作成装置  ３…テープ印刷装置  １８ｂ…ＰＣアプリケーション  ２１…編集画面  ２３…印刷確認画面  Ｃ…テープカートリッジ  Ｄ１…文字データ  Ｄ２…図形データ  Ｄ３…イメージデータ  Ｇ…印刷画像  ｇ…テープ片画像。
【図１】
2012104010.tif 000003
【図２】
2012104010.tif 000004
【図３】
2012104010.tif 000005
【図４】
2012104010.tif 000006
【図５】
2012104010.tif 000007
【図６】
2012104010.tif 000008
【図７】
2012104010.tif 000009
【図８】
2012104010.tif 000010
【図９】
2012104010.tif 000011
【図１０】
2012104010.tif 000012
【図１１】
2012104010.tif 000013
【図１２】
2012104010.tif 000014
【図１３】
2012104010.tif 000015
【図１４】
2012104010.tif 000016
【図１５】
2012104010.tif 000017
【図１６】
2012104010.tif 000018
【図１７】
2012104010.tif 000019
【図１８】
2012104010.tif 000020